(57)【特許請求の範囲】
【請求項１】
上部ケースと下部ケースからなり回路基板を内蔵する機器ケースを有し、前記機器ケースにペンを収納する電子機器であって、
前記下部ケースには、前記ペンの長手方向に沿って前記機器ケース内に開放された開口を有し、この開口の長手方向における一端部に設けられたペン挿入口から前記ペンが挿脱可能に挿入して収納される凹溝形状のペン収納凹部を備えたペン収納部が設けられ、
前記回路基板には、前記ペン収納部を横切る方向に伸びる配線基板が接続されるとともに、前記ペンの挿脱による摺動から前記回路基板の表面を保護するためのカバーシートが、前記ペン収納凹部の開口に対向する位置に、前記回路基板を覆うようにして取り付けられることを特徴とする電子機器。
【請求項２】
上部ケースと下部ケースからなり回路基板を内蔵する機器ケースを有し、前記機器ケースにペンを収納する電子機器であって、
前記下部ケースには、前記ペンの長手方向に沿って前記機器ケース内に開放された開口を有し、この開口の長手方向における一端部に設けられたペン挿入口から前記ペンが挿脱可能に挿入して収納される凹溝形状のペン収納凹部を備えたペン収納部が設けられ、
前記回路基板には、前記ペン収納部を横切る方向に伸びる配線基板が接続されるとともに、前記ペンの挿脱による摺動から前記配線基板の表面を保護するためのカバーシートが、前記ペン収納凹部の開口に対向する位置に、前記配線基板を覆うようにして取り付けられることを特徴とする電子機器。
【請求項３】
前記機器ケースは、表示装置を備えた第１のケースとキーボードを備えた第２のケースからなり、前記回路基板は前記第２のケースに内蔵され、前記配線基板は、前記回路基板から前記第１のケース内の基板に接続されることを特徴とする請求項１または請求項２に記載の電子機器。
【請求項４】
前記第１のケースと前記第２のケースとはヒンジ部で連結され、前記配線基板は前記ヒンジ部の中を通り抜けて前記第１のケースの基板に接続されることを特徴とする請求項３に記載の電子機器。
【請求項５】
前記第２のケースには、前記ヒンジ部の間に電池収納部が設けられ、前記配線基板は、前記電池収納部を避けて前記第１のケースの基板に接続されることを特徴とする請求項４に記載の電子機器。
【発明の詳細な説明】
【技術分野】
【０００１】
この発明は、電子辞書、携帯情報端末機（ＰＤＡ：パーソナル・デジタル・アシスタント）、パーソナルコンピュータなどのペンを収納する電子機器に関する。
【背景技術】
【０００２】
従来、パーソナルコンピュータなどの電子機器においては、特許文献１に記載されているように、機器ケースの表面にタッチペンを着脱可能に収納するペン収納凹部を設けた構成のものが知られている。
【先行技術文献】
【特許文献】
【０００３】
【特許文献１】特開２００４−１３３２５号公報
【０００４】
この種のペン収納構造は、ペン収納凹部がタッチペンの長手方向に沿って開放され、この開放されたペン収納凹部の一端部にタッチペンのペン先が挿入して係止される受け部を設けると共に、このペン収納凹部に収納されたタッチペンを取り出す際に、タッチペンをペン収納凹部内から取出方向に回転させるために、ペン収納凹部の一端部にペン先をペン収納凹部内において出没方向に回転移動させる空間部を受け部に対応させて設けた構成になっている。
【発明の概要】
【発明が解決しようとする課題】
【０００５】
しかしながら、このような従来のペン収納構造では、ペン収納凹部が機器ケースの表面に露出して設けられていると共に、このペン収納凹部がタッチペンの長手方向に沿って開放され、この開放された開口からタッチペンをペン収納凹部に挿入させて着脱可能に収納する構成であるから、ペン収納凹部に対応する箇所における機器ケースの表面に他の部品を搭載することができない。
【０００６】
このため、ペン収納凹部によって機器全体の実装密度が低下するばかりか、タッチペンのペン先をペン収納凹部内で出没方向に回転させるための空間部をペン収納凹部内に設ける必要があるため、ペン収納凹部が大きくなり、機器全体の小型化および薄型化を図ることができないという問題がある。
【０００７】
この発明が解決しようとする課題は、機器全体の実装密度を高めることができると共に、機器全体の小型化および薄型化を図ることができるペンを収納する電子機器を提供することである。
【課題を解決するための手段】
【０００８】
この発明は、上記課題を解決するために、次のような構成要素を備えている。
本発明に係る電子機器は、上部ケースと下部ケースからなり回路基板を内蔵する機器ケースを有し、前記機器ケースにペンを収納する電子機器であって、前記下部ケースには、前記ペンの長手方向に沿って前記機器ケース内に開放された開口を有し、この開口の長手方向における一端部に設けられたペン挿入口から前記ペンが挿脱可能に挿入して収納される凹溝形状のペン収納凹部を備えたペン収納部が設けられ、前記回路基板には、前記ペン収納部を横切る方向に伸びる配線基板が接続されるとともに、前記ペンの挿脱による摺動から前記回路基板の表面を保護するためのカバーシートが、前記ペン収納凹部の開口に対向する位置に、前記回路基板を覆うようにして取り付けらることを特徴とする。
【０００９】
また、本発明に係る電子機器は、上部ケースと下部ケースからなり回路基板を内蔵する機器ケースを有し、前記機器ケースにペンを収納する電子機器であって、前記下部ケースには、前記ペンの長手方向に沿って前記機器ケース内に開放された開口を有し、この開口の長手方向における一端部に設けられたペン挿入口から前記ペンが挿脱可能に挿入して収納される凹溝形状のペン収納凹部を備えたペン収納部が設けられ、前記回路基板には、前記ペン収納部を横切る方向に伸びる配線基板が接続されるとともに、前記ペンの挿脱による摺動から前記配線基板の表面を保護するためのカバーシートが、前記ペン収納凹部の開口に対向する位置に、前記配線基板を覆うようにして取り付けらることを特徴とする。
【００１０】
なお、前記機器ケースは、表示装置を備えた第１のケースとキーボードを備えた第２のケースからなり、前記回路基板は前記第２のケースに内蔵され、前記配線基板は、前記回路基板から前記第１のケース内の基板に接続されるようにすることができる。
【００１１】
また、前記第１のケースと前記第２のケースとはヒンジ部で連結され、前記配線基板は前記ヒンジ部の中を通り抜けて前記第１のケースの基板に接続されるようにすることができる。
更に、前記第２のケースには、前記ヒンジ部の間に電池収納部が設けられ、前記配線基板は、前記電池収納部を避けて前記第１のケースの基板に接続されるようにすることもできる。
【発明の効果】
【００１２】
この発明によれば、機器ケース内にペン収納部を設け、ペン収納凹部がペンの長手方向に沿って開放された開口を有していても、ペン収納凹部の開口に対向する位置にカバーシートが設けられるので、ペンの挿脱による摺動から回路基板の表面、あるいは、配線基板の表面を保護するようにできるとともに、ペンが取り付けられる機器全体の実装密度を十分に高めることができる。また、ペン収納凹部をペンが密接して収納する最小限の大きさに形成することができるので、機器全体の小型化および薄型化を図ることができる。
【図面の簡単な説明】
【００１３】
【図１】この発明を電子辞書に適用した一実施形態を示した平面図である。
【図２】図１の電子辞書を折り畳んだ状態の側面図である。
【図３】図２の電子辞書を下側から見た裏面図である。
【図４】図１の電子辞書において第２のケースの下部ケースを上方から見た平面図である。
【図５】図４の下部ケース内に組み込まれる回路基板を下側から見た拡大裏面図である。
【図６】図４の下部ケース内に回路基板を組み付けた状態におけるペン収納部付近の要部を示した拡大平面図である。
【図７】図６の要部における各断面を示し、（ａ）は図６のＡ−Ａ矢視における拡大断面図、（ｂ）は図６のＢ−Ｂ矢視における拡大断面図、（ｃ）は図６のＣ−Ｃ矢視における要部を示した拡大断面図である。
【図８】図６において回路基板を取り外した状態における下部ケースのペン収納凹部付近の要部を示した拡大平面図である。
【図９】図８のＤ−Ｄ矢視における要部を示した拡大断面図である。
【図１０】図７のカバーシートを示し、（ａ）はそのカバーシートの拡大平面図、（ｂ）はそのカバーシートの拡大裏面図である。
【図１１】図６の回路基板を示した要部の拡大平面図である。
【図１２】図１１の回路基板を下面側から見た要部の拡大裏面図である。
【図１３】図１２の回路基板にカバーシートを取り付けた状態を示した要部の拡大裏面図である。
【図１４】図７のＡ部の断面を示し、（ａ）はその要部を示した拡大断面図、（ｂ）はその要部においてカバーシートを回路基板から剥がす状態を示した拡大断面図である。
【発明を実施するための形態】
【００１４】
以下、図１〜図１４を参照して、この発明を電子辞書に適用した一実施形態について説明する。
この電子辞書は、図１および図２に示すように、第１のケース１と第２のケース２とを備え、これら第１のケースと第２のケース２とが一対のヒンジ部３によって回転自在に連結され、この一対のヒンジ部３を中心に第１のケース１と第２のケース２とが回転して開閉自在に重なり合うように構成されている。
【００１５】
この場合、第２のケース２に対向する第１のケース１の内側面には、図１に示すように、入力表示部４がほぼ全域に設けられている。この入力表示部４は、透明なタッチパネルの下に表示パネルを重ね合わせたものであり、透明なタッチパネルを通して表示パネルに表示された情報が見え、この状態で透明なタッチパネルをタッチペン５（図３参照）でタッチ操作することにより、情報を入力するように構成されている。
【００１６】
また、第１のケース１に対向する第２のケース２の内側面には、図１に示すように、キー入力部６、補助入力表示部７、およびスピーカ部８が設けられている。キー入力部６は、文字キー、ファンクションキーが配列された第１の入力部９と、カーソルキー、決定キーが円形状の領域内に配列された第２の入力部１０とを備え、これらの各キーをキー操作することにより、情報を入力するように構成されている。
【００１７】
補助入力表示部７は、手書き入力部であり、入力表示部４と同様、透明なタッチパネルの下に表示パネルを重ね合わせたものであり、透明なタッチパネルをタッチペン５（図３参照）でタッチ操作することにより、手書き情報を入力するように構成されている。スピーカ部８は、音声や警報音などの音を放音するものであり、キー入力部６および補助入力表示部７で入力された情報に基づいて音声や警報音などの音を放音するように構成されている。
【００１８】
この場合、第２のケース２は、図２に示すように、上部ケース１１と下部ケース１２とを備えている。上部ケース１１には、図１に示すように、キー入力部６、補助入力表示部７、およびスピーカ部８が上面から外部に露出して設けられている。下部ケース１２には、図３に示すように、タッチペン５を収納するペン収納部１３が設けられているほか、下部ケース１２の下面には、電池蓋１４および複数のゴム足１５が設けられている。
【００１９】
電池蓋１４は、図３および図４に示すように、第１のケース１と第２のケース２とを回転自在に連結する一対のヒンジ部３間に設けられて電池（図示せず）を収納する電池収納部１６を開閉可能に塞ぐように構成されている。ペン収納部１３は、図３および図４に示すように、電池蓋１４が取り付けられた電池収納部１６に沿って下部ケース１２内に設けられ、その一端部（図３では右端部）が下部ケース１２の一側面（図３では右側面）に開放されている。
【００２０】
このペン収納部１３は、図４に示すように、下部ケース１２内にタッチペン５の長手方向に沿って細長く設けられたペン収納凹部１７を備えている。このペン収納凹部１７は、図４、図７および図８に示すように、タッチペン５が挿入するほぼ半円筒形状の細長い凹溝である。このペン収納凹部１７の上部には、タッチペン５の長手方向に沿って下部ケース１２内に開放する開口１７ａが設けられている。
【００２１】
また、このペン収納凹部１７の一端部（図４では右端部）には、タッチペン５が挿脱可能に挿入するペン挿入口１７ｂが設けられている。さらに、このペン収納凹部１７は、タッチペン５が密接した状態でタッチペン５を収納する最小限の大きさに形成されている。また、このペン収納凹部１７は、タッチペン５の長手方向に沿って開放された開口１７ａが、図６および図７に示すように、カバーシート１８および回路基板１９によって塞がれるように構成されている。
【００２２】
この場合、ペン収納凹部１７における開口１７ａの長手方向に沿う両側の各縁部１７ｃには、図７（ｃ）および図９に示すように、カバーシート１８の一部が配置される複数のシート装着凹部２０が所定間隔で設けられている。この複数のシート装着凹部２０には、それぞれ複数の突起部１９が上方に突出して設けられている。
【００２３】
カバーシート１８は、ポリエチレン・テレフタレート（ＰＥＴ）、ポリ塩化ビニル（ＰＶＣ）、ポリアミド（ＰＡ）などの合成樹脂からなり、全体が厚みの薄い帯状に形成されている。すなわち、このカバーシート１８は、図１０（ａ）および図１０（ｂ）に示すように、その長さがペン収納凹部１７の長手方向の長さとほぼ同じで、その長手方向と直交する方向の長さがペン収納凹部１７における開口１７ａの長手方向と直交する方向の長さとほぼ同じ長さに形成されている。
【００２４】
このカバーシート１８の長手方向に沿う両側部には、図１０（ａ）および図１０（ｂ）に示すように、ペン収納凹部１７における開口１７ａの長手方向に沿う両側の各縁部１７ｃに延びる複数の取付片１８ａがそれぞれで設けられている。この複数の取付片１８ａは、図７（ｃ）に示すように、ペン収納凹部１７における開口１７ａの長手方向に沿う両側の各縁部１７ｃに設けられた複数のシート装着凹部２０内にそれぞれ配置されるように構成されている。
【００２５】
この複数の取付片１８ａには、図７（ａ）〜図７（ｃ）に示すように、ペン収納凹部１７の各縁部１７ｃにおける複数のシート装着凹部２０に設けられた複数の突起部２１がそれぞれ挿入する挿入孔１８ｂが設けられている。これにより、カバーシート１８は、図７（ａ）〜図７（ｃ）に示すように、その長手方向に沿う両側辺からそれぞれ突出して設けられた複数の取付片１８ａの各挿入孔１８ｂに、ペン収納凹部１７の開口１７ａにおける縁部１７ｃに設けられた各突起部２１がそれぞれ挿入することにより、ペン収納凹部１７に取り付けられてペン収納凹部１７の開口１７ａを塞ぐように構成されている。
【００２６】
この場合、カバーシート１８は、図７（ｃ）に示すように、複数の取付片１８ａがペン収納凹部１７における開口１７ａの長手方向に沿う両側の各縁部１７ｃにそれぞれ設けられたシート装着凹部２０内に配置されることにより、カバーシート１８の上面がペン収納凹部１７の各縁部１７ｃの上面とほぼ同じ高さで、ペン収納凹部１７に取り付けられるように構成されている。
【００２７】
一方、回路基板１９は、機器全体を電気的に制御駆動するためのものであり、図５に示すように、ＬＳＩ（大規模集積回路）などの電子辞書機能に必要な各種の電子部品１９ａが搭載され、図６に示すように、第２のケース２の下部ケース１２に組み込まれている。この回路基板１９には、図５および図１３に示すように、下部ケース１２に設けられたペン収納凹部１７に対応する箇所にカバーシート１８が設けられていると共に、図５および図６に示すように、電池収納部１６内に配置される一対の電池ばね２２およびアースばね２３が設けられている。
【００２８】
一対の電池ばね２２とアースばね２３とは、図５および図６に示すように、その各接続片２２ａ、２３ａが回路基板１９の下面（図５では表面）に設けられた電極１９ｂに接続されている。この場合、回路基板１９には、図６、図１１〜図１３に示すように、一対の電池ばね２２とアースばね２３との各接続片２２ａ、２３ａがそれぞれ挿入する複数のスリット孔２４が、ペン収納凹部１７をその長手方向に対して直交する方向に横切って設けられている。
【００２９】
また、この回路基板１９には、図１２に示すように、カバーシート１８が配置される箇所に絶縁膜１９ｃが印刷されている。この絶縁膜１９ｃが印刷された箇所の回路基板１９には、図６および図１１に示すように、ペン収納凹部１７における開口１７ａの長手方向に沿う両側の各縁部１７ｃに設けられた複数の突起部２１がそれぞれ挿入する複数の取付孔部２５が設けられている。
【００３０】
この複数の取付孔部２５は、図６、図１１〜図１３に示すように、ペン収納凹部１７の上辺側に位置する縁部１７ｃに対応する回路基板１９の上辺部に設けられた複数の切欠孔部と、ペン収納凹部１７の下辺側に位置する縁部１７ｃに対応する回路基板１９の箇所に設けられた複数の円形孔部とからなり、これらがカバーシート１８に設けられた複数の挿入孔１８ｂにそれぞれ対応するように構成されている。
【００３１】
これにより、回路基板１９は、図６および図７に示すように、その下面にカバーシート１８が配置された状態で、ペン収納凹部１７の複数の突起部２１がカバーシート１８の複数の挿入孔１８ｂを通してそれぞれ複数の取付孔部２５に挿入することにより、ペン収納凹部１７に取り付けられてカバーシート１８と共にペン収納凹部１７の開口１７ａを塞ぐように構成されている。
【００３２】
また、この回路基板１９には、図５、図６、図１１〜図１３に示すように、フレキシブルな配線基板２６が電気的に接続されている。このフレキシブルな配線基板２６は、屈曲自在なフィルムに多数の配線を形成したシート状の接続部材であり、第２のケース２内の回路基板１９と第１のケース１内の回路基板（図示せず）とを電気的に接続するように構成されている。
【００３３】
すなわち、このフレキシブルな配線基板２６は、図５、図６、図１１〜図１３に示すように、その一端部（図５では下端部）が回路基板１９のコネクタ部１９ｄに電気的に接続された状態で、その他端部（図５では上端部）がカバーシート１８をその長手方向に対して直交する方向に横切って回路基板１９と反対側に延びていることにより、第２のケース２内からヒンジ部３内を通り抜けて第１のケース１内に導かれるように構成されている。
【００３４】
この場合、フレキシブルな配線基板２６は、図６および図７（ｃ）に示すように、回路基板１９とカバーシート１８との間に配置された状態で、ペン収納凹部１７をその長手方向に対して直交する方向に横切るように構成されている。このため、ペン収納凹部１７の縁部１７ｃには、図７（ｃ）および図９に示すように、配線基板２６が対応する箇所のカバーシート１８が配置する基板装着凹部２７が設けられている。
【００３５】
ところで、カバーシート１８は、図７および図１４に示すように、回路基板１９に粘着層２８によって接着されている。この粘着層２８は、剥離可能な感圧接着剤であり、図１０（ｂ）および図１４（ａ）に示すように、カバーシート１８の下面にフレキシブルな配線基板２６と対応する箇所を除いて設けられ、配線基板２６に接着しないように構成されている。これにより、カバーシート１８と回路基板１９との間には、フレキシブルな配線基板２６が配置される隙間が形成されている。
【００３６】
このため、カバーシート１８は、図１４（ａ）および図１４（ｂ）に示すように、カバーシート１８と回路基板１９との間にフレキシブルな配線基板２６が配置されていても、その配線基板２６側に位置するカバーシート１８の端部側（図１４では右端部側）に設けられた粘着層２８を回路基板１９から剥がすことにより、配線基板２６を取り外せるように構成されている。
【００３７】
次に、このような電子辞書においてペン収納部１３を組み立てる場合について説明する。
この場合には、まず、図５、図１１および図１２に示すように、回路基板１９にフレキシブルな配線基板２６、一対の電池ばね２２、およびアースばね２３を電気的に接続した状態で取り付ける。
【００３８】
すなわち、フレキシブルな配線基板２６は、図１２に示すように、その一端部（図１２では下端部）が回路基板１９の下面（図１２では表面）に設けられたコネクタ部１９ｄに接続された状態で、他端部（図１２では上端部）がカバーシート１８を配置する箇所の回路基板１９に印刷された絶縁膜１９ｃを横切って回路基板１９の上辺部から突出している。これにより、フレキシブルな配線基板２６は、図１１および図１２に示すように、回路基板１９の上辺部から突出した他端部が第２のケース２からヒンジ部３を通して第１のケース１内に向けて延びている。
【００３９】
また、一対の電池ばね２２およびアースばね２３は、図１１および図１２に示すように、その各接続片２２ａ、２３ａがそれぞれ回路基板１９の下面（図１２では表面）に設けられた電極１９ｂに接続されて回路基板１９の各スリット孔２４内に配置された状態で、カバーシート１８が配置される箇所の回路基板１９の絶縁膜１９ｃを横切って、回路基板１９の上辺部から突出している。これにより、一対の電池ばね２２およびアースばね２３は、図６に示すように、突出した他端部（図６では上端部）が一対のヒンジ部３間に位置する電池収納部１６内に配置される。
【００４０】
この状態、回路基板１９の下面における絶縁膜１９ｃにカバーシート１８を粘着層２８によって接着し、このカバーシート１８と回路基板１９との間にフレキシブルな配線基板２６、一対の電池ばね２２およびアースばね２３を挟み込む。このときには、図１３に示すように、カバーシート１８の複数の取付片１８ａにそれぞれ設けられた複数の挿入孔１８ｂを回路基板１９に設けられた複数の取付孔部２５に対応させて貼り付ける。
【００４１】
また、このときには、図７（ｃ）および図１１（ｂ）に示すように、粘着層２８が、フレキシブルな配線基板２６と対応する箇所を除いて、カバーシート１８の下面に設けられているので、粘着層２８が配線基板２６に接着することがない。また、一対の電池ばね２２とアースばね２３との各接続片２２ａ、２３ａは、回路基板１９の各スリット孔２４内に配置されているので、各接続片２２ａ、２３ａにも、粘着層２８が接着することがない。
【００４２】
この後、回路基板１９を第２ケース２の下部ケース１２に取り付ける。このときには、回路基板１９に貼り付けられたカバーシート１８を下部ケース１２に設けられたペン収納凹部１７の開口１７ａに対応させる。そして、ペン収納凹部１７の各縁部１７ｃに設けられた複数の突起部２１を、カバーシート１８の各挿入孔１８ｂにそれぞれ挿入すると共に、回路基板１９の各取付孔部２５にそれぞれ挿入する。
【００４３】
すると、図６、図７および図１３に示すように、カバーシート１８の長手方向に沿う両側辺から側方に突出した複数の取付片１８ａがペン収納凹部１７の縁部１７ｃに設けられた複数のシート装着凹部２０内にそれぞれ配置されると共に、回路基板１９がペン収納凹部１７の縁部１７ｃ上に配置される。また、このときには、フレキシブルな配線基板２６に対応する箇所のカバーシート１８がペン収納凹部１７の縁部１７ｃに設けられた基板装着凹部２７内に配置される。
【００４４】
このため、カバーシート１８は、図７（ｃ）に示すように、その上面がペン収納凹部１７の縁部１７ｃの上面と同じ高さで、ペン収納凹部１７に配置されると共に、カバーシート１８と回路基板１９との間にフレキシブルな配線基板２６が配置されていても、この配線基板２６に対応する箇所に粘着層２８が設けられていないため、配線基板２６の上面もペン収納凹部１７の縁部１７ｃの上面とほぼ同じ高さなる。
【００４５】
その結果、回路基板１９は、その下面がペン収納凹部１７の縁部１７ｃの上面と同じ高さなるので、回路基板１９の下面がペン収納凹部１７の縁部１７ｃの上面に密着して配置される。これにより、カバーシート１８がペン収納凹部１７の開口１７ａを塞いだ状態でペン収納凹部１７に取り付けられると共に、回路基板１９がカバーシート１８を押し付けた状態でペン収納凹部１７に取り付けられる。これにより、ペン収納凹部１７は、タッチペン５が密接した状態で、タッチペン５を挿脱可能に収納する最小限の大きさに形成される。
【００４６】
この状態では、ペン収納凹部１７のペン挿入口１７ｂが下部ケース１２の一側面に位置して開放されているので、この開放されたペン挿入口１７ｂからタッチペン５をペン収納凹部１７内に挿入して密接させて収納することができる。このときには、カバーシート１８によってタッチペン５が、回路基板１９、フレキシブルな配線基板２６、一対の電池ばね２２、およびアースばね２３を傷付けないように保護することができる。
【００４７】
また、タッチペン５をペン収納凹部１７から取り出す場合には、ペン挿入口１７ｂから露出したタッチペン５の端部を摘んで引き出すことにより、ペン収納凹部１７からタッチペン５を取り出すことができる。このときにも、カバーシート１８によってタッチペン５が、回路基板１９、フレキシブルな配線基板２６、一対の電池ばね２２、およびアースばね２３を傷付けないように保護することができる。
【００４８】
一方、この電子辞書を修理したり点検したりする際には、まず、第２のケース２における上部ケース１１と下部ケース１２とを分解し、この後、回路基板１９を下部ケース１２から取り外す際に、ペン収納凹部１７の縁部１７ｃに設けられた複数の突起部２１を回路基板１９に設けられた複数の取付孔部２５、およびカバーシート１８に設けられた複数の挿入孔１８ｂからそれぞれ抜き出すことにより、簡単に回路基板１９およびカバーシート１８をペン収納凹部１７から取り外すことができる。
【００４９】
この状態で、カバーシート１８と回路基板１９との間からフレキシブルな配線基板２６を取り外す際には、フレキシブルな配線基板２６が対応するカバーシート１８の箇所に粘着層２８が設けられていないため、粘着層２８によって回路基板１９に接着されたカバーシート１８を剥がすことにより、フレキシブルな配線基板２６を傷付けることなくカバーシート１８と回路基板１９との間から容易に且つ良好に取り外すことができる。
【００５０】
このように、この電子辞書のペン収納構造によれば、下部ケース１２内に設けられた凹溝形状のペン収納凹部１７がタッチペン５の長手方向に沿って下部ケース１２内に開放された開口１７ａを有し、この開口１７ａをカバーシート１８によって塞いだ構成であるから、ペン収納凹部１７の開口１７ａに対応する箇所にも、回路基板１９、フレキシブルな配線基板２６、一対の電池ばね２２、およびアースばね２３などの部品を配置することができる。
【００５１】
このため、下部ケース１２内にペン収納凹部１７を設けても、またこのペン収納凹部１７がタッチペン５の長手方向に沿って下部ケース１２内に開放された開口１７ａを有していても、機器全体の実装密度を高めることができると共に、ペン収納凹部１７をタッチペン５が密接して収納する最小限の大きさに形成することができるので、機器全体の小型化および薄型化を図ることができる。
【００５２】
すなわち、この電子辞書のペン収納構造では、ペン収納凹部１７における開口１７ａの各縁部１７ｃに複数の突起部２１をそれぞれ設け、カバーシート１８の両側の各縁部に複数の突起部２１がそれぞれ挿入してカバーシート１８をペン収納凹部１７に取り付けるための複数の挿入孔１８ｂを設けた構成であるから、構造が簡単で、ペン収納凹部１７の各突起部２１をカバーシート１８の各挿入孔１８ｂに挿入するだけで、容易に且つ確実にカバーシート１８をペン収納凹部１７に取り付けることができる。
【００５３】
このため、ペン収納凹部１７の開口１７ａに対応する箇所に、回路基板１９、フレキシブルな配線基板２６、一対の電池ばね２２、およびアースばね２３などの部品を配置しても、カバーシート１８によって回路基板１９、フレキシブルな配線基板２６、一対の電池ばね２２、およびアースばね２３などの部品を保護することができるので、タッチペン５の挿脱操作時に回路基板１９、フレキシブルな配線基板２６、一対の電池ばね２２、およびアースばね２３などの部品がタッチペン５によって傷付かないようにすることができる。
【００５４】
この場合、カバーシート１８の長手方向に沿う両側部には、複数の取付片１８ａが設けられ、この複数の取付片１８ａには、それぞれ挿入孔１８ｂが設けられており、またペン収納凹部１７の開口１７ａの各縁部１７ｃには、カバーシート１８の各取付片１８ａが装着する複数のシート装着凹部２０が設けられ、この複数のシート装着凹部２０内には、それぞれ突起部２１が設けられているので、ペン収納凹部１７の各突起部２１をカバーシート１８の各挿入孔１８ｂに挿入すると、カバーシート１８の各取付片１８ａをペン収納凹部１７の各縁部１７ｃにそれぞれ設けられた各シート装着凹部２０内に配置することができる。
【００５５】
このため、カバーシート１８は、その上面がペン収納凹部１７の各縁部１７ｃの上面と同じ高さで、ペン収納凹部１７に取り付けられるので、カバーシート１８でペン収納凹部１７の開口１７ａを塞いでも、カバーシート１８によってペン収納凹部１７全体の厚みが厚くならないため、下部ケース１２の薄型化を図ることができ、これにより機器全体の薄型化を図ることができる。
【００５６】
また、この電子辞書のペン収納構造では、下部ケース１２内に組み込まれた回路基板１９がカバーシート１８上に配置され、この回路基板１９にペン収納凹部１７の複数の突起部２１がカバーシート１８の各挿入孔１８ｂを通してそれぞれ挿入して、回路基板１９をペン収納凹部１７に取り付けるための複数の取付孔部２５が設けられているので、回路基板１９をカバーシート１８と共にペン収納凹部１７に容易に取り付けることができる。
【００５７】
すなわち、回路基板１９の複数の取付孔部２５にペン収納凹部１７の複数の突起部２１をカバーシート１８の各挿入孔１８ｂを通して挿入させるだけで、回路基板１９をカバーシート１８と共にペン収納凹部１７に容易に取り付けることができると共に、ペン収納凹部１７の開口１７ａを塞いだ状態のカバーシート１８が厚みの薄い帯状に形成されていても、回路基板１９によってカバーシート１８を確実に且つ良好に押え付けてペン収納凹部１７に取り付けることができる。
【００５８】
また、この電子辞書のペン収納構造では、カバーシート１８と回路基板１９との間に、この回路基板１９と電気的に接続されてペン収納凹部１７をその長手方向に対して直交する方向に横切って回路基板１９と反対側に延びるフレキシブルな配線基板２６が、配置されているので、配線基板２６の引き回し作業が容易にできると共に、ペン収納凹部１７を横切って配線基板２６を引き回しても、機器全体の厚みが厚くならず、コンパクトに配線することができる。
【００５９】
この場合、ペン収納凹部１７の各縁部１７ｃには、基板装着凹部２７がフレキシブルな配線基板２６に対応して設けられているので、カバーシート１８と回路基板１９との間にフレキシブルな配線基板２６が配置されていても、カバーシート１８と同様、配線基板２６の上面をペン収納凹部１７の各縁部１７ｃの上面とほぼ同じ高さにすることができる。
【００６０】
このため、回路基板１９の下面をペン収納凹部１７の各縁部１７ｃの上面に密着させて配置することができるので、ペン収納凹部１７に配線基板２６が重なって配置されていても、機器全体の厚みが厚くならず、回路基板１９によってカバーシート１８と共に配線基板２６を良好に固定することができる。
【００６１】
さらに、この電子辞書のペン収納構造では、カバーシート１８に、フレキシブルな配線基板２６と対応する箇所を除いて、回路基板１９に接着される粘着層２８が設けられていることにより、この粘着層２８によってカバーシート１８を回路基板１９に接着することができるので、カバーシート１８を回路基板１９と共にペン収納凹部１７に取り付けることができ、これによりペン収納凹部１７に対するカバーシート１８の取付作業性を向上させることができると共に、カバーシート１８を回路基板１９から容易に取り外すことができる。
【００６２】
この場合、配線基板２６は、粘着層２８に接着されていないので、カバーシート１８を回路基板１９から剥がすことにより、配線基板２６をカバーシート１８と回路基板１９との間から良好に取り外すことができる。このため、配線基板２６を傷付けることなく容易に且つ良好に交換することができるので、修理や保守点検の作業が容易にできる。
【００６３】
なお、上述した実施形態では、電子機器として電子辞書に適用した場合について述べたが、必ずしも電子辞書である必要はなく、例えば携帯情報端末機（ＰＤＡ：パーソナル・デジタル・アシスタント）、携帯型電子ゲーム機などの携帯型の電子機器に適用することができるほか、必ずしも携帯型の電子機器である必要はなく、パーソナルコンピュータなどの各種の電子機器にも広く適用することができる。
【符号の説明】
【００６４】
１、２  第１、第２の各ケース
３  ヒンジ部
５  タッチペン
１１  上部ケース
１２  下部ケース
１３  ペン収納部
１７  ペン収納凹部
１７ａ  開口
１７ｂ  ペン挿入口
１７ｃ  縁部
１８  カバーシート
１８ａ  取付片
１８ｂ  挿入孔
１９  回路基板
２０  シート装着凹部
２１  突起部
２５  取付孔部
２６  配線基板
２７  基板装着凹部
２８  粘着層
【図１】
0005594417.tif 000002
【図２】
0005594417.tif 000003
【図３】
0005594417.tif 000004
【図４】
0005594417.tif 000005
【図５】
0005594417.tif 000006
【図６】
0005594417.tif 000007
【図７】
0005594417.tif 000008
【図８】
0005594417.tif 000009
【図９】
0005594417.tif 000010
【図１０】
0005594417.tif 000011
【図１１】
0005594417.tif 000012
【図１２】
0005594417.tif 000013
【図１３】
0005594417.tif 000014
【図１４】
0005594417.tif 000015